(57)【要約】【課題】  ベビーカーに対して幼児を乗車させる時に、幼児を拘束する股ベルト等がお尻の下に潜り込むようなことがなく、乗車操作を容易に行うことができるようにしたハーネスを得ること。【解決手段】  それぞれ帯状の縫製品からなる、幼児の腰部に卷装する腰ベルト３０、股部を支持する股ベルト３２、及び肩部を拘束する左右一対の肩ベルト３４とを有し、上記股ベルト３２及び肩ベルト３４の基端部が上記腰ベルト３０の背中側に縫着されている。上記股ベルト３２の先端部には、上記両肩ベルト３４の先端部を係止するとともに、腰ベルト３０の左右先端部にそれぞれ設けられたバックル３１を係脱可能とした係止バックル３３が設けられている。上記腰ベルト３０の左右部には上記腰ベルト３０をベビーカー本体に固定するためのバックル３７を有する固定用ベルト３８が設けられている。【選択図】  図１
2006271834.tif 000002
【特許請求の範囲】
【請求項１】
それぞれ帯状の縫製品からなる、幼児の腰部に卷装する腰ベルト、股部を支持する股ベルト、及び肩部を拘束する左右一対の肩ベルトとを有し、上記股ベルト及び肩ベルトの基端部が上記腰ベルトの背中側に縫着されており、上記股ベルトの先端部には、上記両肩ベルトの先端部を係止するとともに、腰ベルトの左右先端部にそれぞれ設けられたバックルを係脱可能とした係止バックルが設けられ、上記腰ベルトの左右部には上記腰ベルトをベビーカー本体に固定するためのバックルを有する固定用ベルトが設けられていることを特徴とする、幼児拘束用ハーネス。
【請求項２】
腰ベルト、股ベルト及び肩ベルトにはそれぞれベルトの長さを調節し得る調節具が設けられていることを特徴とする、請求項１記載の幼児拘束用ハーネス。
【請求項３】
左右の肩ベルトは、背中部において連結部材により互いに連結されていることを特徴とする、請求項１または２記載の幼児拘束用ハーネス。
【請求項４】
上記連結部材はゴム帯であることを特徴とする、請求項３記載の幼児拘束用ハーネス。
【請求項５】
両端に前記固定用ベルトのバックルに着脱可能な連結具が設けられた補助ベルトを有することを特徴とする、請求項１乃至４のいずれかに記載の幼児拘束用ハーネス。
【発明の詳細な説明】
【技術分野】
【０００１】
本発明は、ベビーカーに乗せられた幼児を保護するために、上記ベビーカー本体に幼児を拘束するハーネスに関する。
【背景技術】
【０００２】
一般に、幼児を散歩や買い物等のために屋外に連れ出す場合に使用するベビーカーにおいては、移動中等における幼児の保護のために、ベビーカー本体から突設された帯状の縫製品からなるベルトにより幼児の股部、腰部を拘束する３点式の拘束方法、或いはさらに肩部をも拘束する５点式の拘束方法がとられている。
【０００３】
すなわち、図７は、上記５点式の幼児拘束用ハーネスが設けられた従来のベビーカーの概略構成を示す斜視図であって、ベビーカー本体１０は前輪１１を有する前脚１２、後輪１３を有する後脚１４、ほぼＵ字状に屈曲された手押し杆１５、左右１対のアームレスト１６、及び左右の前脚１２及び後脚１４をそれぞれ連結する連結杆１７、１８によって構成されている。
【０００４】
上記ベビーカー本体１０には、座板部及び背当て部を有するベビーシート２０が装着されており、上記ベビーシート２０上に幼児を座らせまたは寝かせて、ベビーカーを走行移動させることができる。
【０００５】
ところで、上記ベビーシート２０の座板部から、ベビーカー本体に固設された帯状の縫製品からなる股ベルト２１が突出されており、その股ベルト２１の先端部に５点方式の係止バックル２２が装着されている。また、上記座板部の両側からは、同様にベビーカー本体に固設された帯状の縫製品からなる左右の腰ベルト２３がそれぞれ突出されており、その先端に設けられたバックル２４が上記係止バックル２２に係合可能としてある。一方、背当て部の両側部からは、同様にベビーカー本体に固設された帯状の縫製品からなる左右の肩ベルト２５がそれぞれ突出されており、その先端部が上記係止バックル２２に連結されている。
【０００６】
しかして、このようなベビーカーに幼児を乗せて移動する場合には、幼児の両足の間に股ベルト２１が位置するように幼児をベビーシート２０の座板部上に乗せ、左右の腰ベルト２３の先端部に設けられたバックル２４を、股ベルト２１の先端部に装着されている５点方式の係止バックル２２に係合させて、幼児の腰部を拘束する。そして、背当て部の両側部に設けられ、先端部が係止バックル２２に取り付けられている左右の肩ベルト２５を幼児の肩に掛け、幼児がみだりにベビーシート２０上に立ち上がることがないように肩部の拘束を行い、ベビーカーの移動を行う。
【発明の開示】
【発明が解決しようとする課題】
【０００７】
ところが、上記ベビーカーにおいては、幼児拘束用のハーネスがベビーシート２０上に固設状態であるため、幼児をベビーシート２０上に乗せる時に、股ベルト２１が幼児のお尻の下に潜り込んだりして、その都度各ベルトを邪魔にならないような位置に払い除ける必要があり、操作が煩わしい等の問題がある。また、上述のように肩ベルト２５を設けたものにおいては、肩ベルトが幼児の肩からずれやすい等の問題もある。
【０００８】
本発明は、このような点に鑑み、ベビーカーに対して幼児を乗車させる時に股ベルトがお尻の下に潜り込むようなことがなく、乗車操作を容易に行うことができるようにしたハーネスを得ることを目的とする。
【課題を解決するための手段】
【０００９】
請求項１に係る発明は、それぞれ帯状の縫製品からなる、幼児の腰部に卷装する腰ベルト、股部を支持する股ベルト、及び肩部を拘束する左右一対の肩ベルトとを有し、上記股ベルト及び肩ベルトの基端部が上記腰ベルトの背中側に縫着されており、上記股ベルトの先端部には、上記両肩ベルトの先端部を係止するとともに、腰ベルトの左右先端部にそれぞれ設けられたバックルを係脱可能とした係止バックルが設けられ、上記腰ベルトの左右部には上記腰ベルトをベビーカー本体に固定するためのバックルを有する固定用ベルトが設けられていることを特徴とする。
【００１０】
また、請求項２に係る発明は、請求項１に係る発明において、腰ベルト、股ベルト及び肩ベルトにはそれぞれベルトの長さを調節し得る調節具が設けられていることを特徴とする。
【００１１】
請求項３に係る発明は、請求項１または２に係る発明において、左右の肩ベルトは、背中部において連結部材により互いに連結されていることを特徴とする。
【００１２】
請求項４に係る発明は、請求項３に係る発明において、上記連結部材はゴム帯であることを特徴とする。
【００１３】
さらに、請求項５に係る発明は、請求項１乃至４のいずれかに係る発明において、両端に前記固定用ベルトのバックルに着脱可能な連結具が設けられた補助ベルトを有することを特徴とする。
【発明の効果】
【００１４】
本発明のハーネスは、それぞれ帯状の縫製品からなる、幼児の腰部に卷装する腰ベルト、股部を支持する股ベルト、及び肩部を拘束する左右一対の肩ベルトとを有し、上記股ベルト及び肩ベルトの基端部が上記腰ベルトの背中側に縫着されており、上記股ベルトの先端部には、上記両肩ベルトの先端部を係止するとともに、腰ベルトの左右先端部にそれぞれ設けられたバックルを係脱可能とした係止バックルが設けられ、上記腰ベルトの左右部には上記腰ベルトをベビーカー本体に固定するためのバックルを有する固定用ベルトが設けられているので、ベビーカー乗車前にハーネスを幼児に装着し、その後その幼児をベビーシート上に乗せ、単に腰ベルトに設けられた固定用ベルトをベビーカー本体の連結具に連結することにより、股ベルトが幼児のお尻の下に潜り込むようなことがなく、乗車操作を容易に行うことができる。
【発明を実施するための最良の形態】
【００１５】
以下、図１乃至図５を参照して本発明実施の形態を説明する。
【００１６】
図１は、本発明のベビーカーにおける幼児拘束用ハーネスの概略構成を示す図であり、符号３０は幼児の腰部に卷装する帯状の縫製品からなる腰ベルトであって、その両端部には雄型のバックル３１、３１が装着されている。上記雄型のバックル３１は腰ベルト３０に対して位置調整自在に装着されており、上記腰ベルト３０の長さを調節し得るようにしてある。また、腰ベルト３０の中間部には幼児の股部を支持する股ベルト３２の一端が縫着されており、その股ベルト３２の先端部には図２に示すような５点式の係止バックル３３が位置調整自在に装着され、股ベルト３２の長さを調節可能としてある。また、上記係止バックル３３の両側部には前記腰ベルト３０の雄型のバックル３１が係合可能な雌型のバックル部３３ａが設けられており、さらに、係止バックル３３の上記股ベルト３２の装着位置と対向する上端部には、左右の肩ベルト３４の先端部をそれぞれ係合保持する係止部３３ｂ、３３ｂが設けられている。
【００１７】
上記左右一対の肩ベルト３４は幼児の両肩に掛けて幼児肩部を拘束するものであり、その基端部が前記腰ベルト３０に対して股ベルト３２とともに逢着されており、肩ベルト３４の先端部には上記係止バックル３３の係止部３３ｂに係合可能な筒状に縫製された係合部が設けられ、その係合部を係止バックル３３の係止部３３ｂに係合することにより、肩ベルト３４を係止バックル３３に連結可能としてある。上記左右の肩ベルト３４はそれぞれバックル３５、３５により長さを調節し得るようにしてあり、さらにその肩ベルト３４が掛けられた幼児の背面側において互いにゴム帯３６からなる連結部材により連結されている。
【００１８】
一方、前記腰ベルト３０には、その左右両側部に上記腰ベルト３０をベビーカー本体に固定するための雄型のバックル３７をそれぞれ有する固定用ベルト３８、３８が設けられている。
【００１９】
しかして、幼児をベビーカーに乗車させ場合には、図３に示すように、乗車前にハーネスを幼児に装着する。すなわち、係止バックル３３が幼児のお腹側に来るように股ベルト３２を幼児の股の間に通し、腰ベルト３０を幼児に卷装し、その腰ベルト３０の両端部の雄型のバックル３１をそれぞれ上記係止バックル３３の左右の雌型のバックル部３３ａに挿入係合させ、さらに、幼児の肩に掛けた肩ベルト３４の先端を係止バックル３３の係止部３３ｂに係止する。このようにして、ハーネスを幼児に装着した後、幼児をベビーカーに乗車させ、図４に示すように、腰ベルト３０に設けられた２個の固定用ベルト３８、３８の雄型のバックル３７をベビーカー本体に設けられている雌型のバックル４０に固定することにより、幼児をベビーカー本体に対して拘束することができる。
【００２０】
したがって、幼児には乗車前に既にハーネスが装着されているので、幼児をベビーカーに乗車させる場合に、股ベルトが邪魔になるようなことがなく、幼児を容易にベビーカー本体に拘束することができる。しかも、幼児にハーネスを装着するのはベビーカーの外であるので、その装着も容易に行うことができる。
【００２１】
また、図５に示すように、バックル４１により長さを調節可能とするとともに両端に雌型のバックル４２をそれぞれ設けた補助ベルト４３を準備しておくことにより、レストラン等においては、図６に示すように、上記補助ベルト４３の一端の雌型のバックル４２を腰ベルト３０に装着された一方の固定用ベルト３８の雄型のバックル３７に連結し、上記補助ベルト４３を椅子４５の背中の背面側に通し、さらに補助ベルト４３の他端の雌型のバックル４２を腰ベルト３０に装着された他方の固定用ベルト３８の雄型のバックル３７に連結することにより、幼児を容易に椅子に拘束することができる。
【００２２】
また、左右の肩ベルト３４をゴム帯３６により連結することにより、肩ベルト３４のずれを軽減することができる。
【００２３】
なお、バックルの雄型、雌型は互いに反対にすることができることは当然である。
【図面の簡単な説明】
【００２４】
【図１】本発明のハーネスの形状を示す図。
【図２】係止バックルの全面図。
【図３】乗車前に幼児にハーネスを装着した状態を示す図。
【図４】乗車した後にベビーカーにハーネスを固定する概念図。
【図５】補助ベルトの平面図。
【図６】幼児を椅子に拘束した状態を示す概念図。
【図７】従来のベビーカーの概略構成を示す図。
【符号の説明】
【００２５】
３０  腰ベルト
３１  雄型のバックル
３２  股ベルト
３３  係止バックル
３４  肩ベルト
３５  バックル
３６  ゴム製の帯
３７  雄型のバックル
３８  固定用ベルト
４３  補助ベルト
【図１】
2006271834.tif 000003
【図２】
2006271834.tif 000004
【図３】
2006271834.tif 000005
【図４】
2006271834.tif 000006
【図５】
2006271834.tif 000007
【図６】
2006271834.tif 000008
【図７】
2006271834.tif 000009